(57)【特許請求の範囲】
【請求項１】
容器体口頚部外周に嵌合させた装着筒９により下端を容器体内へ垂下させた状態で固定したシリンダ２と、該シリンダ内下端部に嵌合させた環状基部12内面より周方向複数突設した弾性連結片13により弁板14を支持するとともに、該弁板14によりシリンダ２下端部の吸い込み弁孔15を開閉可能に閉塞する弁部材16を設けて構成した吸い込み弁６と、シリンダ２内面上部に嵌合させた案内筒19内面に回動不能且つ押し下げ可能に外面を嵌合させた支持筒24外周下部より環状ピストン25を突設するとともに、該ピストンを案内筒19下方のシリンダ２内面上部に摺動下降可能に嵌合させてなるピストン部材３と、該部材を支持する合成樹脂製のコイルスプリング28と、上記支持筒24内面に外面下部を螺動下降可能に螺着させてシリンダ上方へ上端を突出させるとともに、螺着部分上方外面に支持筒24内面上端部のシール面ａを液密摺動可能に構成し、且つ、内部に吐出弁32を設けてなるステム４と、該ステム上端に嵌着させた押し下げヘッド５とを備え、該ヘッドの押し下げによりコイルスプリング28の弾発力に抗する環状ピストン25の押し下げを可能に構成するとともに、押し下げヘッド５の回動によりステム４の支持筒24に対する螺動下降が可能に構成し、且つ、ステム４を支持筒24に対して螺動下降させた際に、ステム４下面より周方向間隔をあけて垂設した複数の弾性板31下端が上記弁板14上面に圧接する如く構成したことを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、容器体口頚部外周に嵌合させる装着キャップにより容器体内に下端を垂下させた状態で吸い込み弁付きのシリンダを固定させてなる固定吸引部と、シリンダ内周に上下動可能に嵌合させた環状ピストンを外周下部に連係させたステム上端を固定吸引部上端中央の開口より上方付勢状態で上下動可能に突出させるとともに、ステム上端に押し下げヘッドを嵌着固定させてなる可動噴出部とを備え、可動噴出部の上下動により容器体内の液を吸い上げてヘッドの噴出口より噴出する如く構成したものが一般に知られている。
【０００３】
従来のこの種ポンプでは、可動噴出部を上方付勢させるために一般に金属製のコイルスプリングを使用している。この金属製のコイルスプリングを採用しているものでは、良好な復帰機能を発揮して液の円滑な注出を行えるものではあるが、近年の廃棄物処理事情では、金属とプラスチックの分別処理が要望され、従来のものでは、金属パーツが微細であること、内部に密閉されていること等の理由によりこの分別が極めて困難であった。
【０００４】
この様な事情を考慮して上記コイルスプリングを金属製からプラスチック製に変える試みも行われている様ではあるが、プラスチック製は金属製に比べて一般に耐久性，弾性復元力に劣る。したがって、金属製のものと同様の復元力を得ようとすると、その径や太さが大きくならざるを得ず、ポンプ全体の形態或いは大きさに大幅な影響を与え、単にコイルスプリングの材質を置き換えるだけでは現実的ではない。
【０００５】
また従来のこの種ポンプに於ける吸い込み弁は、シリンダ内下端部に設けた弁座上に金属製の玉状弁体を載置して構成したものが一般的であり、また、液噴出後にノズル内に残存する液がその先端より垂れたり、或いはノズル内先端部に残存する液が乾燥固化したりという不都合を解消するために、吸い込み弁の玉状弁体を比較的弾発力の弱いコイル状の金属製補助スプリングで弁座上に圧接させたものも提案されている。
【０００６】
これらは、例えば、シリンダ内下部に設けた筒状部材に上端を係止した補助スプリングの下端を玉状弁体上面に圧接係止させて構成する。上記筒状部材としては、下端面開口の筒状をなすとともに、筒壁外面下部より突設したフランジを、シリンダ内面下端部に周方向複数突設したリブ上に載置し、フランジ上面に可動噴出部を上方に付勢させるためのコイルスプリング下端を圧接係止させ、また、筒壁には液を流通させるための窓孔を穿設するとともに、頂板裏面中央からは玉状弁体の上下動を規制するための棒状突起を垂設して構成している。
【０００７】
上記構成により、液噴出後の可動噴出部が上昇する際に、開いた吐出弁が閉じるまでの間は上記補助スプリングの作用で吸い込み弁が開かず、その結果、ノズル内の液がシリンダ内に逆流して液垂れを防止できるものである。
【０００８】
この様な吸い込み弁を備えたものにあっても、上記同様の理由で玉状弁体，補助スプリングの分別処理が困難であり、また、その組み付け操作も面倒が伴うものであった。即ち、その組付けに当たり、先ず玉状弁体を載置し、次いでコイルスプリング，筒状部材を順次装着しており、或いは玉状弁体載置後にコイルスプリングを係止した筒状部材を装着している。従って、各部材をバラバラに装着させなければならないため、作業が煩雑化し、また、コイルスプリングが玉状弁体上面のズレた位置にその下面を当接する等の不都合が生じる虞があり、作動不良の原因となる虞があった。
【０００９】
【発明が解決しようとする課題】
本発明は、上記した点に鑑み、金属製のコイルスプリングを使用せずにその部分の分別処理を必要とせず、しかも、十分な弾発力を維持して円滑な可動噴出部の上下動を行え、また、従来のこの種ポンプと比較して大きな構造的変化を伴うことなく安価に製造できる利点を兼ね備えた優れたポンプを提案するものである。
【００１０】
また、吸い込み弁部分に於いても金属製部材を使用せずに、しかも、液垂れがなく、液の乾燥固化を防止でき、組付け時に容易に且つ確実に組み立てを行えるとともに、長期間良好な弁機能を維持することができるポンプを提案するものである。
【００１１】
【課題を解決するための手段】
第１の手段として、容器体口頚部外周に嵌合させた装着筒９により下端を容器体内へ垂下させた状態で固定した吸い込み弁６付きのシリンダ２と、該シリンダ内面上部に嵌合させた案内筒19内面に回動不能且つ押し下げ可能に外面を嵌合させた支持筒24外周下部より環状ピストン25を突設するとともに、該ピストンを案内筒19下方のシリンダ２内面上部に摺動下降可能に嵌合させてなるピストン部材３と、該部材を支持する合成樹脂製のコイルスプリング28と、上記支持筒24内面に外面下部を螺動下降可能に螺着させてシリンダ上方へ上端を突出させるとともに、螺着部分上方外面に支持筒24内面上端部のシール面ａを液密摺動可能に構成し、且つ、内部に吐出弁32を設けてなるステム４と、該ステム上端に嵌着させた押し下げヘッド５とを備え、該ヘッドの押し下げによりコイルスプリング28の弾発力に抗する環状ピストン25の押し下げを可能に構成するとともに、ヘッドの回動によりステムの支持筒に対する螺動下降が可能に構成した。
【００１２】
第２の手段として、前記第１の手段に於いて、上記吸い込み弁６が、シリンダ内下端部に嵌合させた環状基部12内面より周方向複数突設した弾性連結片13により弁板14を支持するとともに、該弁板によりシリンダ２下端部の吸い込み弁孔15を開閉可能に閉塞する弁部材16を設けて構成した吸い込み弁６であり、ステム下面より周方向間隔をあけて複数の弾性板31を垂設して、ステム４を支持筒24に対して螺動下降させた際に、各弾性板31下端が弁板14上面に圧接する如く構成した。
【００１３】
【発明の実施の形態】
以下、本発明の実施例の形態を図面を参照して説明する。
図面に示す如く本発明の液体噴出ポンプ１は、シリンダ２と、ピストン部材３と、ステム４と、押し下げヘッド５とを主要部材として構成している。
【００１４】
シリンダ２は、内部下端に吸い込み弁６を設けた上端開口の筒状をなし、容器体７の口頚部８外周に嵌合させた装着筒９により下端を容器体内へ垂下した状態で固定する。本実施例では、外面上部に突設したフランジ10を容器体７の口頚部８上面にパッキンを介する等して載置し、該フランジ10上面を、容器体口頚部外周に螺合等の手段で嵌合させた装着筒９上端縁より内方へ延設したフランジ11により圧接固定する如く構成している。
【００１５】
また、本実施例に於ける上記吸い込み弁６は、シリンダ内下端部に嵌合させた環状基部12内面より周方向複数突設した弾性連結片13により弁板14を支持するとともに、該弁板によりシリンダ２下端部の吸い込み弁孔15を開閉可能に閉塞する弁部材16を設けて構成している。上記環状基部12はリング状をなし、シリンダ２内面下端部に嵌着固定している。また、弾性連結片13は、環状基部12内面に一端を連結するとともに、中心へ向かった後環状基部12に沿って円弧状に延び、再び中心に向かって延びる異形棒状をなし、円形弁板14外面に他端をそれぞれ一体に連結して弁孔周縁部の底壁上面に弁板14を支持させている。
【００１６】
また、上記吸い込み弁孔15周囲のシリンダ２下面より垂設した嵌合筒17内に上端を嵌合してパイプ18を装着し、その下端を容器体内下部に垂下させている。
【００１７】
本発明ではシリンダ２内面上端部に、ピストン部材３の上下動の案内を主目的として設けた案内筒19を嵌着させている。本実施例では、この案内筒19を、シリンダ２上端に嵌着させたリングキャップ20の一部として構成している。リングキャップ20は、シリンダ２外面上端部に嵌着させた嵌合筒21の上端縁より内方へフランジ状の頂板22を延設し、該頂板22の内側下面より垂設した上記案内筒19をシリンダ２内面上端部に嵌合している。この案内筒19外面上端部とシリンダ内面上端部とには縦突条相互の係合による回り止め機構Ａを設けるとともに、案内筒19内面には、上下を貫通する縦突条23を周方向多数縦突設している。
【００１８】
ピストン部材３は、上記案内筒19内面に回動不能且つ押し下げ可能に嵌合させた支持筒24外周下部より環状ピストン25を突設し、該環状ピストン25を案内筒19下方のシリンダ２内面上部に摺動下降可能に嵌合させて構成している。
【００１９】
本実施例では、外面下部より環状ピストン25を突設した支持筒24の外面上部に周方向多数の縦突条26を突設し、上記案内筒19の縦突条23と互いに係合させて水平方向の回動を不能に、且つ、下方への押し下げを可能に構成している。また、支持筒24内面の上端部を除いて螺条27を刻設しており、螺条上方の内面上端部はステム外面と液密に摺動するシール面ａとして構成している。
【００２０】
また、このピストン部材３は合成樹脂製のコイルスプリング28により支持されている。本実施例では、上記弁部材16の環状基部12上面と、環状ピストン25基端下面との間にコイルスプリング28を介在させている。このコイルスプリング28は、ピストン部材３が最上昇位置に存在する場合には殆ど或いはあまり圧縮負荷がかからない状態にしておくことができる。また、このコイルスプリング28は、上記弁部材16と一体に形成することも可能である。
【００２１】
ステム４は、シリンダ２内の液を上方の押し下げヘッドへ移行させるための導管で、上記支持筒24内面に外面下部を螺動下降可能に螺着させてシリンダ上方へ上端を突出させるとともに、螺着部分上方外面に支持筒24内面上端部のシール面ａを液密摺動可能に構成している。
【００２２】
本実施例では、上下端を開口した円筒状で下部外周に上記支持筒24内面の螺条27と螺合する螺条29を刻設し、また、外面下端部より外方へ突設したフランジ30上面を上記支持筒24下面に当接させて抜け出しの防止を図っている。更に、下面より下方へ、周方向複数の弾性板31を一体に垂設して構成している。各弾性板31は、ステム４下面より下方へ、周方向等間隔に複数垂設するとともに、横断面円弧状の縦長板状をなしている。そして、このステム４の螺動下降状態において、各弾性板31下端部が上記弁板14上面周縁部に圧接係止する如く構成している。
【００２３】
また、ステム４の上端部に吐出弁32を設けている。本実施例に於ける吐出弁32は、上記ステム上面に形成したテーパ状の弁座上面に外周上部を当接して閉塞する円錐状部下面中央より棒状部を垂設した弁体33を設けることにより構成している。
【００２４】
押し下げヘッド５は、上記ステム４外周上端部に下部を嵌合させた縦筒34と、該縦筒の上部前面に基端を開口して前方へ突出させたノズル35をとを備え、ステム内から縦筒を介してノズル先端の噴出口に至る流路を形成している。
【００２５】
そして、押し下げヘッド５を押し下げることにより、コイルスプリング28の弾発力に抗して環状ピストン25が押し下げられてシリンダ２内が加圧され、また、ヘッド５を回動させることにより、ステム４が支持筒24に対して螺動下降し、ポンプ全体をコンパクトに構成できるとともに、その際に各弾性板31下端部が弁板14上面周縁部に圧接係止する如く構成している。
【００２６】
上記の如く構成したポンプを使用する場合について説明すると、運搬，保管時等は図２に示す如く、ステム４を螺動下降させた状態で係止させておく。
【００２７】
使用時にはステム４を螺動上昇させ、次いで押し下げヘッドを何回か上下動させる初期作動を行うことによりシリンダ内に容器体内の液を導入し、その状態からヘッド５を押圧するとシリンダ内が加圧され、加圧液が吐出弁32を開いてヘッドのノズル35先端噴出口より噴出する。次いでヘッドの押圧を解除すると、コイルスプリングの作用でピストン25が上昇してシリンダ２内が負圧化する。この際、負圧化当初は吐出弁32が開いた状態であるとともに、吸い込み弁６は各弾性連結片13の支持力により開かず、その結果、ノズル35内の残液が逆流する。吐出弁32が閉じると、各弾性連結片13の付勢力に抗して吸い込み弁６が開き容器体７内の液がパイプ18を介してシリンダ２内に導入される。
【００２８】
尚、上記各実施例に於いて、各部材は合成樹脂により形成することができ、必要に応じてエラストマー等を併用することも可能である。
【００２９】
【発明の効果】
以上説明した如く本発明ポンプは、既述構成としたことにより、特に、支持筒外面下部よりシリンダ内面に嵌合する環状ピストンを突設してなるピストン部材を、合成樹脂製のコイルスプリングにより支持し、また、押し下げヘッドの回動によりステムの支持筒に対する螺動下降が可能に構成したので、金属製のコイルスプリングを使用しないためその部分の分別処理を必要とせず、しかも、合成樹脂製のコイルスプリングに不必要な圧縮負荷がかかることをできるだけ防止して十分な弾発力の維持を図り、ピストン等の円滑な上下動を行えるものである。
【００３０】
また、従来のこの種ポンプと比較しても、一部の構造を変更するだけですみ、大きな構造的変化を伴うことなく安価に製造できる利点を兼ね備えたものである。
【００３１】
また、第２の手段では、上記効果に加え、吸い込み弁部分に於いても金属製部材を使用しないでその部分の分別処理の必要がなく、しかも、液垂れ、液の乾燥固化を防止できるとともに、組付け時に容易に且つ確実に組み立てを行え、更に、保管，運搬時には可動噴出部を押し下げ係止させておけば、弁板は各弾性板によりシリンダ底壁上面に圧接され、例えポンプを装着した容器が横倒し状態になった場合でも、その液圧で弾性連結片が延びたままの状態となる様な不都合はなく、弾性連結片に不必要時はできるだけ負荷がかからない様にしており、合成樹脂製の弁部材を使用しているにも拘わらず、長期間良好な弁機能を維持することが出来るものである。
【図面の簡単な説明】
【図１】本発明ポンプの一実施例を示す半断面図である。
【図２】同実施例のステムを螺動下降させた状態を示す半断面図である。
【符号の説明】
２…シリンダ，３…ピストン部材，４…ステム，５…押し下げヘッド，
６…吸い込み弁，９…装着筒，12…環状基部，13…弾性連結片，14…弁板，
15…吸い込み弁孔，16…弁部材，24…支持筒，25…環状ピストン，
28…コイルスプリング，31…弾性連結片，32…吐出弁，ａ…シール面
【図１】
0003668800.tif 000002
【図２】
0003668800.tif 000003